(57)【特許請求の範囲】
【請求項１】
合成樹脂パウダー（１）の粒子が金型内で加熱されて一体に構成され内部に複数の空隙を有する有底筒体（２）と、
前記有底筒体（２）の開口する端部に密着固定されて給油パイプ（４´）のための連通孔（５）を有する蓋（３）とを具備し、
前記有底筒体（２）の外側から前記有底筒体（２）の前記複数の空隙を通過する燃料としての油を前記給油パイプ（４´）に導く流路を形成するように構成された濾過装置において、
前記有底筒体（２）は、粒子径を３０〜５０ミクロンに調整した前記合成樹脂パウダー（１）の粒子の接触面同志のみが分子重合して一体に構成されていて、前記粒子間には前記油を通過させるが水の通過を阻止する大きさの前記複数の空隙が形成されており、しかもその外表面が滑らかであり、
前記有底筒体（２）の端部には固定ねじ部（２ａ）が一体に形成されており、
前記蓋（３）には前記有底筒体（２）の前記固定ねじ部（２ａ）が螺合されるリング状のねじ部（３ａ）が設けられ、
前記ねじ部（３ａ）に前記有底筒体（２）の前記固定ねじ部（２ａ）を螺合してなる瀘過装置。
【請求項２】
油タンク（６）からの流入孔（１０）と給油パイプ（４´）への連通孔（５）とを有するストレーナ（８）を設け、
前記ストレーナ（８）の流入孔（１０）と連通孔（５）とを設けた蓋（３）に前記連通孔（５）の外周方向に位置して流入孔（１０）と連通孔（５）とを分離するリング状のねじ部（３ａ）を設け、
粒子径を３０〜５０ミクロンに調整した合成樹脂パウダー（１）を金型内で接触面同志を加熱によって分子重合して一定の厚みのある滑らかな表面を持つ有底筒体（２）に構成し、
有底筒体（２）の端部に成形時に固定ねじ部（２ａ）を一体に構成し、
前記固定ねじ部（２ａ）を蓋（３）のリング状のねじ部（３ａ）に螺合してなる瀘過装置。
【発明の詳細な説明】
【０００１】
【産業上の利用分野】
この発明は石油燃焼器のバーナなどに使用される瀘過装置に関するものである。
【０００２】
【従来の技術】
石油燃焼器は油タンクの燃料を燃料ポンプで吸い上げてバーナに供給しており、油タンク内に混入したゴミや水分が燃料ポンプの中に吸込まれると、燃料パイプや噴霧ノズルが詰まったり、結び付いて燃料ポンプが使用不能になることがある。この為、燃料パイプには濾過装置が備え付けられている。
【０００３】
一般に燃料用の濾過フィルタは金属製や合成樹脂製の網状体や、透過性能を付加した紙などを、平板状のままや筒状に仕上げたものや凸凹に折り曲げたものを筒状に仕上げたものがあり、フィルタ素材としては２００メッシュ程度の細かい網目のものまで製造可能となっている。そして、この透過性能を付加した油専用の紙を使ったフィルタ素材には、シリコンを主成分とする発水材を含漬して、水をはじく性能を持たせて濾過フィルタを構成したものがある。
【０００４】
また、圧力噴霧式バーナの高温になり易い噴霧ノズルの入口側に取付けられる濾過フィルタは、最近ではブロンズ製の０．５ミリ位の粒子を、プレスして局部的に粒子を加圧変形させて一体化し、これを濾過フィルタに仕上げて使用するものがある。
【０００５】
【発明が解決しようとする課題】
ところで、石油燃焼器の燃料中に水が混じると、燃料ポンプや噴霧ノズルなどの詰まりが発生し、重大なトラブルとなる。この為、油水分離フィルタを取付けが不可欠であるが、油水分離フィルタとして濾過フィルタを兼ねる時には、従来では紙を原料とした油専用の濾過フィルタにシリコンを主成分とする発水材をしみこませたものが製品化されている。
【０００６】
しかし、この発水処理をした濾過フィルタは、使用中に発水材がとれて耐久性が悪いものであり、長期間発水性能を維持することは不可能である。この為、常に濾過フィルタの交換が必要になるが、この交換時期の正確な特定はほとんど不可能であり、汚れによって油の濾過性能が悪化したり、発水性能が劣化したものをそのまま使用してトラブルを起こすケースが多く、使い勝手が悪いものであった。
【０００７】
また、金属製の網状体で形成した濾過フィルタに発水処理を行なうと、発水材はしみこまずにフィルタ素材の表面に付着しており、この状態では発水材が通過間隙を埋めてしまって濾過できなくなってしまい、結局、このような金属製のフィルタ素材では発水処理ができないから、水によるトラブルは避けることができなかった。
【０００８】
【課題を解決するための手段】
本発明が改良の対象とする濾過装置は、合成樹脂パウダーの粒子が金型内で加熱されて一体に構成され内部に複数の空隙を有する有底筒体と、有底筒体の開口する端部に密着固定されて給油パイプのための連通孔を有する蓋とを具備している。そして、有底筒体の外側から有底筒体の複数の空隙を通過する燃料としての油を給油パイプに導く流路を形成するように構成されている。本発明では、有底筒体は、粒子径を３０〜５０ミクロンに調整した合成樹脂パウダーの粒子の接触面同志のみが分子重合して一体に構成し、粒子間には油を通過させるが水の通過を阻止する大きさの複数の空隙を形成ししかもその外表面を滑らかにする。また、有底筒体の端部には固定ねじ部を一体に形成し、蓋には有底筒体の固定ねじ部が螺合されるリング状のねじ部を設け、ねじ部に有底筒体の固定ねじ部を螺合する。
【０００９】
また、本発明の他の濾過装置では、油タンクからの流入孔と給油パイプへの連通孔とを有するストレーナを設け、ストレーナの流入孔と連通孔とを設けた蓋に連通孔の外周方向に位置して流入孔と連通孔とを分離するリング状のねじ部を設け、粒子径を３０〜５０ミクロンに調整した合成樹脂パウダーを金型内で接触面同志を加熱によって分子重合して一定の厚みのある滑らかな表面を持つ有底筒体に構成し、有底筒体の端部に成形時に固定ねじ部を一体に構成し、固定ねじ部を蓋のリング状のねじ部に螺合して構成する。
【００１０】
また、本発明の更に他の濾過装置では、粒子径３０〜５０ミクロンに調整した発水性のある合成樹脂パウダーを金型内で接触面同志を加熱重合して、内部に空隙があり一定の厚みのある滑らかな表面を持つ有底筒体に構成し、かつ、給油パイプへの連通孔を有する蓋を設け、該合成樹脂パウダーで一体に構成した有底筒体の開放端部を蓋に密着固定し、連通孔は有底筒体内に開口して給油パイプへの流路に有底筒体を位置させて構成する。
【００１１】
合成樹脂は射出成形に利用する為の米粒大のペレットから微細な粉末まで製造可能であり、この中には素材が油で濡れた後では素材として発水性能が得られる合成樹脂がある。この発明はこのような発水性のある合成樹脂パウダーを金型に粉末のまま充填し、所定温度をかけることで合成樹脂パウダーの接触部のみが加熱による分子重合を行なって一体化したものであり、合成樹脂パウダーは全体が溶けて金型内を満たすことなく、接触部のみ重合する為に粒子間に空隙が生まれ、この空隙を油が通過することでフィルタ効果を得ている。
【００１２】
特に、粒子径を３０〜５０ミクロンに調整した合成樹脂パウダーを用いることによって、粒子間の空隙を水が通過しようとすると、合成樹脂の粒子に付着した水が空隙を埋めて水の通過を止めるものであり、特別な発水処理を後から行なわなくともフィルタ部材に発水性を持たせる濾過装置を得ることができる。また、この発水効果は合成樹脂の性質から得られるものであるから、従来のような劣化は起きないものである。
【００１３】
また、合成樹脂パウダーを充填する金型はフィルタ部材の流入側の表面が平滑面に仕上がるように構成することによって、フィルタ部材の表面は滑らかになり、通過を止められたごみや水が容易にはがれ落ち、清掃を簡単に行うことができ、長期間にわたって使用を続けることができる。
【００１４】
また、合成樹脂パウダーから構成した接触部のみ分子重合したフィルタ部材は、射出成形によってできた合成樹脂部材と同様に硬度があり、同じ様に扱えるから、この形状を有低筒体に仕上げて螺合により蓋と組合わせることによって、特別な部品を使用せずに容易に給油パイプなどに取付けることができる。
【００１５】
【実施例】
従来の噴霧ノズル用の濾過フィルタとして、ブロンズの粒子を一定温度に加熱して変形し易い状態を作ってこの粒子をプレスで加圧し、該ブロンズ粒子が部分的に形状を変形しながら一体化して、厚みを持った金属性の濾過フィルタに仕上げたものがある。ブロンズ粒子を細かくすれば、加圧した時に微粒子が潰れて空隙が形成できず、また、プレス圧を低くして空隙が形成できるようにすると、ブロンズの微粒子がはがれて墟過フィルタとして機能しなくなるものであり、従来の技術では金網の２００メッシュに該当するような均一で細かいフィルタ素材は造ることができなかった。
【００１６】
この発明はブロンズ粒子に代えて、微細な粒子化が可能な合成樹脂に着目し、更に、使用する合成樹脂として発水性のある合成樹脂を使ってフィルタを製作するものである。
【００１７】
以下図面を参照して，本発明の実施例を説明する。１はポリエチレンからなる素材に発水性のある合成樹脂で形成したパウダーであり、フィルタの素材である合成樹脂パウダー１はあらかじめ３０〜５０ミクロンの粒子径に調整している。そして、金型内に合成樹脂パウダー１を注入充填し、その後、合成樹脂パウダー１の種類によって定まる最適温度を接触面同志が分子重合できるまで所定時間保持するという全く新しい方法によって、合成樹脂パウダー１の粒子が接触面同志を分子重合させてフィルタ素材に仕上げたものである。
【００１８】
１ａは合成樹脂パウダー１の接触面の分子重合によって形成した合成樹脂パウダー１同志の空隙であり、金型によって作られた合成樹脂のかたまりの中に空隙１ａが形成され、合成樹脂の全体がフィルタ素材として機能している。そして、使用するポリエチレンの合成樹脂パウダー１の大きさをこの発明で特定する３０〜５０ミクロンに調整した時には、この粒子径のパウダーの接触面同志が分子重合して形成された空隙１ａによる濾過空間の大きさは、金網に換算して３００メッシュ位になっている。また、合成樹脂パウダー１は金型によって一定の厚みでフィルタ素材を構成するから、金網のような直線状に抜ける濾過空間は全く存在せず、確実に油のみを濾過できるようになった。
【００１９】
更に、ポリエチレンを使って合成樹脂パウダー１の粒子径をこの発明で特定する３０〜５０ミクロンに調整した時には、油に交じって水が粒子間の空隙１ａを通過しようとすると、発水性のある合成樹脂の粒子に水が付着し、この付着した水が空隙１ａを埋めて水の通過を止めてしまうものである。
【００２０】
この発明で特定する直径よりもパウダー１の粒子径が大きくなれば、空隙１ａが大きくなって水の通過を防ぎきれなくなり、水がフィルタ部材の内部まで侵入して油と一緒に通過する。また、逆に合成樹脂パウダー１の粒子径が３０ミクロンよりも小さくなると、水の通過と共に油の通過も抑えられ、通過フィルタとしての機能が不十分になってしまうものである。
【００２１】
更に、この発明の濾過フィルタは素材に発水性のある合成樹脂のパウダー１を使うから、発水処理のための特別な製造工程が不要であり、また、従来では網状のものでも、紙を使ったものでも、フィルタの網目を均一にする為に多大な努力を計って精度の向上が行なわれ、これがフィルタ価格に跳ね返っていたが、この発明ではフィルタの素材の選択と合成樹脂パウダー１の粒子径の選択によってフィルタ素材の精度が決まってしまい、非常に安価に高性能な濾過フィルタが大量に製造できるようになった。
【００２２】
そしてこの濾過フィルタの外観は、射出成形による合成樹脂部品と全く同じであり、従来の濾過フィルタの槻念とはかけ離れて、フィルタであると指摘されなければ誰も気付かない仕上がりである。また、フィルタ部材そのものが合成樹脂で作った部品として扱えるから、一般の合成樹脂部品の取付けに使われる構造を流用して、スマートに濾過フィルタの取付けができるようになったもので、従来の濾過フィルタではこのような取付け方は不可能で、全く行なわれていない。
【００２３】
更に、この発明の金型はフィルタに成形した時に流入側の表面が滑らかになるように構成してあるから、この方法によって製造したフィルタは、フィルタ部材の外表面が滑らかであるから、濾過フィルタに付着したゴミや水の清掃は金網や紙製のフィルタ部材と比べて非常に容易に行なうことができる。
【００２４】
以上のようにこの発明で製作されたフィルタ部材は金型の形状を変えることで自由な形に仕上げることができ、また、一般の射出成形で製作した合成樹脂部品と同様に硬度があり全く同様に扱うことができる。
【００２５】
使用状態を示す図において、２は合成樹脂パウダー１を原料として一定の厚みのあるフィルタ部材で構成した有底筒体、３はフィルタ部材である有底筒体２の開口部を密着して覆う蓋、４は石油燃焼器へ燃料を供給する為の燃料パイプである。
【００２６】
５は有底筒体２の蓋３に設けた連通孔、５ａは該連通孔５の内部に装着したオウリング、６は石油燃焼器の油タンクであり、図２に示す使用状態を示す実施例では有底筒体２と蓋３とが連通孔５の外周方向で一体になっており、前記給油パイプ４の油タンク６内へ伸ばした側の先端に蓋３の連通孔５が嵌着され、給油パイプ４との間はオウリング５ａによって気密が保持されている。
【００２７】
７は給油パイプ４の途中に取付けた燃料ポンプであり、該燃料ポンプ７は有底筒体２内へ伸ばした燃料パイプによって燃料を吸引しており、燃料中にゴミや水を含んでいる時には有底筒体２を通過する時に濾過されて、きれいになった燃料を石油燃焼器に送ることができる。
【００２８】
使用状態を示す図３は油タンク６から引き出される燃料パイプ４，４´の途中に設けた濾過装置の中にフィルタを組み込んだ実施例であり、８はストレーナ、８ａはストレーナ８の透明なフィルタカップであり、該ストレーナ８の枠体は油タンク６側と石油燃焼器側に連続する給油パイプ４´を接続した蓋３と、フィルタカップ８ａとで構成しており、石油燃焼器側の給油パイプ４´に連なる連通孔５は蓋３の中央に位置している。
【００２９】
９は蓋３内に組み込んで油タンク６からストレーナ８のフィルタカップ８ａ内への油の流路に設けた開閉弁、１０は開閉弁９を通過した油のフィルタカップ８ａへの流入孔である。
【００３０】
３ａは蓋３の連通孔５の外周方向に位置して連通孔５と流入孔１０とを分離するリング状のねじ部、２ａは有底筒体２の開口端部に有底筒体２の形成時に一体成形した固定ねじ部であり、前記合成樹脂パウダー１の接触面同志を加熱による分子重合して構成した有底筒体２の固定ねじ部２ａは蓋３のねじ部３ａと螺合して、濾過フィルタを構成する有底筒体２をフィルタカップ８ａ内に取付けており、油タンク６の油は流入孔１０からフィルタカップ８ａと有底筒体２との間隙に流入し、有底筒体２を通過して避退された油が連通孔５から給油パイプ４´へ送られる。
【００３１】
この為、油タンク６から送られる油に含まれたゴミや水は有底筒体２を通過できず、フィルタカップ８ａ内に溜るので、蓋３からフィルタカップ８ａを取り外して捨てることができる。
【００３２】
上記のようにこの発明で製造される合成樹脂パウダー１の接触面同志の重合によって構成された有底筒体２は、従来の射出成形で得られた合成樹脂部品のように堅くて強度が期待できるから、金型の形状をあらかじめ有底筒体２の端部に固定ねじ部２ａが構成できるような形状にすれば、固定ねじ部２ａを持った有底筒体２が簡単に製造できるものであり、従って、燃料パイプ４に取付けた蓋３のねじ部３ａに固定ねじ部２ａを装着すれば、フィルタ素材である有底筒体２が蓋３に簡単に取付けできるようになったものである。
【００３３】
また、有底筒体２は固定ねじ部２ａを設けなくとも、合成樹脂素材の璃面を高温度に加熱すれば有底筒体２が局部的に溶けて蓋３と接合することができ、簡単に蓋３と有底筒体２とを一体化できるものである。
【００３４】
【発明の効果】
従来、紙を素材とするフィルタにシリコンなどの発水材をしみこませることによって製造されていたが、この製造法で作られた油水分離通過フィルタは使用中に発水材がとれてしまうものであり、期待した油水分離性能と濾過性能を長期間維持することができなかった。
【００３５】
一方、本発明はフィルタ素材として発水性を持つ合成樹脂をパウダー状に形成し、所定の粒子径に調整した合成樹脂パウダーを所定の厚さに成形できる金型に充填し、合成樹脂に合った温度処理によって合成樹脂パウダーの接触面同志を分子重合させたから、合成樹脂パウダーは全体が溶けることなく内部の接触面同志が接合して粒子間に空隙が形成でき、フィルタとして完成できたものである。
【００３６】
また、油水分離フィルタを構成する合成樹脂は発水性のある素材で、粒子径ほ３０〜５０ミクロンに調整したから、合成樹脂パウダーが重合した時に形成される空隙の大きさは、合成樹脂パウダーの粒子径によって定まり、空隙を水が通過しようとすると水は合成樹脂の粒子の表面を滞らすことなく付着しており、この水が空隙を塞いで水の通過を阻止している。また、この阻止力は合成樹脂パウダー１の性状であるから変化せず、はじめて油水分離濾過フィルタとして耐久性のあるものが実用化できたものである。
【００３７】
また、フィルタとして機能する合成樹脂パウダーは、接触面同志が分子重合して所定の厚みに構成したから、従来の網目によって製造するフィルタ素材よりも強度があって変形せず、また、従来の網自を重ねたフィルタは細くて良い繊維状のゴミも通過し易かったが、この発明のフィルタには水を通過させないだけでなく、直線状に連続する濾過間隙は形成されないので、確実にゴミの捕集できるものである。
【００３８】
また、フィルタを構成する素材は粒子径30〜50ミクロンに調整した発水性のある合成樹脂であり、主として熱処理のみによって簡単に製造できるから、複雑な工程で造られる従来品と比べて非常に安価であり、更に、この安価な値段で本格的な水に対するフィルタ機能とゴミに対するフィルタ機能を備えており、非常に実用的な発明である。
【００３９】
更に、この発明の金型はフィルタに成形した時に流入側の表面が平滑面に仕上がるように構成してあるから、この方法によって製造したフィルタは、射出成形によってできた合成樹脂部材と外観・手触りが変わりなく、指摘されなければフィルタとは信じられないものであり、フィルタの外表面が滑らかであるから、この油水分離濾過フィルタに付着したゴミや水の清掃を簡単に行なうことができ、金網や紙製のフィルタ素材と比べて非常に容易である。
【００４０】
本発明によれば、特別な発水処理を後から行なわなくともフィルタ部材に発水性を持たせる濾過装置を得ることができる。また、この発水効果は合成樹脂の性質から得られるものであるから、従来のような劣化は起きない。
【００４１】
また、この発明となる合成樹脂パウダーから構成した接触部のみ分子重合したフィルタ部材は、射出成形によってできた合成樹脂部材と同様に硬度があり、同じ様に扱えるから、この形状を有低筒体に仕上げて螺合により蓋と組合わせることによって、特別な部品を使用せずに容易に給油パイプなどに取付けることができる。
【図面の簡単な説明】
【図１】  本発明の製造方法で作った濾過フィルタの拡大要部断面図である。
【図２】  本発明の製造方法で作った濾過フィルタを油タンクの上面板に取付けた使用状態を示す要部断面図である。
【図３】  本発明の製造方法で作った濾過フィルタを油タンクのストレーナに組み込んだ使用状態を示す要部断面図である。
【符号の説明】
１  合成樹脂パウダー
１ａ  空隙
２  有底筒体
２ａ  固定ねじ部
３  蓋
３ａ  ねじ部
４  給油パイプ
５  連通孔
５ａ  オウリング
６  油タンク
７  燃料ポンプ
８  ストレーナ
８ａ  フィルタカップ
９  開閉弁
１０  流入孔
【図１】
0003760791.tif 000002
【図２】
0003760791.tif 000003
【図３】
0003760791.tif 000004